(57)【要約】【課題】ロータの回転による振動の発生を抑制し、かつ、ファンモータ装置に衝撃力等が加えられてもファンモータ装置を構成する部材が、他の部材やデバイスに衝突することを防止できる技術を提供すること。【解決手段】ロータ支持機構１１は、外周に向けて延びる複数のリブ１４を有する。ハウジング１２は、内側に向けて延びるリブ１３を有し、これらのリブ１３はロータ支持機構１１のリブ１４に対応する数だけ設けられている。リブ１３とリブ１４が振動絶縁部材３５によって接続され、ロータ支持機構１１のリブ１４の端部は、テーパ面を有する。ハウジング１２のリブ１３の端部は、そのテーパ面に対面するように設けられたテーパ面を有する。それぞれのテーパ面同士が対面することで、ロータ支持機構１１とハウジング１２との相対的な移動が規制される。【選択図】図２
2008182847.tif 000002
【特許請求の範囲】
【請求項１】
羽根を有するロータと、
前記ロータを回転可能に支持するロータ支持機構と、前記ロータ支持機構を支持する支持部材と、前記ロータ支持機構及び前記支持部材の間に設けられた振動絶縁部材とを有し、前記ロータ支持機構と前記支持部材との相対的な移動を規制可能なステータと
を具備することを特徴とするファンモータ装置。
【請求項２】
請求項１に記載のファンモータ装置であって、
前記ステータは、
第１のテーパ面でなる端部を有し、前記ロータ支持機構に設けられた第１のリブと、
前記第１のテーパ面に対面するように設けられた第２のテーパ面でなる端部を有し、前記支持部材に設けられた第２のリブとを含み、
前記振動絶縁部材は、前記第１のリブの端部と前記第２のリブの端部とを連結するチューブ形状の部材であることを特徴とするファンモータ装置。
【請求項３】
請求項２に記載のファンモータ装置であって、
前記第１のリブは、弾性的に前記ロータ支持機構に設けられていることを特徴とするファンモータ装置。
【請求項４】
請求項２に記載のファンモータ装置であって、
前記第２のリブは、弾性的に前記支持部材に設けられていることを特徴とするファンモータ装置。
【請求項５】
請求項１に記載のファンモータ装置であって、
前記ステータは、
第１の係合部を有し、前記ロータ支持機構に設けられた第１のリブと、
前記第１の係合部に係合する第２の係合部を有し、前記支持部材に設けられた第２のリブと
を含むことを特徴とするファンモータ装置。
【請求項６】
請求項５に記載のファンモータ装置であって、
前記振動絶縁部材は、前記第１の係合部と前記第２の係合部とを覆うように、前記第１のリブと前記第２のリブとを連結するチューブ形状の部材であることを特徴とするファンモータ装置。
【請求項７】
請求項１に記載のファンモータ装置であって、
前記第１のリブは端部を有し、
前記第２のリブは、前記振動絶縁部材を介して前記第１のリブの端部に接続される端部を有し、
前記振動絶縁部材は、前記第１のリブの端部と前記第２のリブの端部との隙間をシールするように設けられた部材であることを特徴とするファンモータ装置。
【請求項８】
発熱体と、
羽根を有するロータと、前記ロータを回転可能に支持するロータ支持機構と、前記ロータ支持機構を支持する支持部材と、前記ロータ支持機構及び前記支持部材の間に設けられた振動絶縁部材と、前記ロータ支持機構と前記支持部材との相対的な移動を規制可能なステータとを有するファンモータと、
発熱体と前記ファンモータとを内部に収容する筐体と
を具備することを特徴とする電子機器。
【発明の詳細な説明】
【技術分野】
【０００１】
本発明は、発熱体から発する熱を排出するためのファンモータ装置及びこれを搭載した電子機器に関する。
【背景技術】
【０００２】
従来から、振動防止用の手段を備えるファンがある（例えば、特許文献１参照。）。このファン（１０）は、外フレーム（５２）と、内フレーム（５４）と、これらを連結する振動防止用の可撓膜（５６）とを備えている。外フレーム（５２）、内フレーム（５４）、可撓膜（５６）により、装置（５０）が構成され、この装置（５０）に、プロペラ（１８）を備えたハウジング（１２）が、ボルト（４５）により固定されている。可撓膜（５６）は、例えばエラストマ等、ゴム材料でなっている。
【０００３】
【特許文献１】特開昭５８−７２７００号公報（図１、図２、図５）
【発明の開示】
【発明が解決しようとする課題】
【０００４】
しかしながら、上記ファン（１０）の可撓膜（５６）は、その図５、図６に示すようにベローズ状に形成されているので、プロペラ（１８）の回転により振動を防止しきれない可能性がある。また、外部からハウジング（１２）に大きな衝撃力が加えられた場合には、ハウジング（１２）が動いてしまい、例えばファン（１０）の周辺に配置された他の部材やデバイス等にハウジング（１２）に衝突するおそれもある。
【０００５】
以上のような事情に鑑み、本発明の目的は、ロータの回転による振動の発生を抑制し、かつ、ファンモータ装置に衝撃力等が加えられてもファンモータ装置を構成する部材が、他の部材やデバイスに衝突することを防止できる技術を提供することにある。
【課題を解決するための手段】
【０００６】
上記目的を達成するため、本発明に係るファンモータ装置は、羽根を有するロータと、前記ロータを回転可能に支持するロータ支持機構と、前記ロータ支持機構を支持する支持部材と、前記ロータ支持機構及び前記支持部材の間に設けられた振動絶縁部材とを有し、前記ロータ支持機構と前記支持部材との相対的な移動を規制可能なステータとを具備する。
【０００７】
本発明によれば、振動絶縁部材によりロータ支持機構から支持部材に振動が伝わることを防止することができる。また、ステータは、ロータ支持機構と支持部材との相対的な移動を規制するので、ファンモータ装置に衝撃力が加えられたとしても、ロータ支持機構または支持部材が、他の部材やデバイスに衝突するといった事態も防止することができる。
【０００８】
「ロータ支持機構と支持部材との相対的な移動」とは、ロータの回転により発生する振動以外の原因、例えば上記した外部からファンモータ装置に力が加わった等の原因により発生する移動である。以下、この動きを、単に「相対移動」という場合もある。
【０００９】
本発明の一の形態によれば、前記ステータは、第１のテーパ面でなる端部を有し、前記ロータ支持機構に設けられた第１のリブと、前記第１のテーパ面に対面するように設けられた第２のテーパ面でなる端部を有し、前記支持部材に設けられた第２のリブとを含み、前記振動絶縁部材は、前記第１のリブの端部と前記第２のリブの端部とを連結するチューブ形状の部材である。第１のテーパ面と第２のテーパ面が対面していることにより、特に、当該両面が対面する方向での上記相対移動が規制される。しかも、チューブ状の振動絶縁部材により第１及び第２の端面が振動絶縁部材に覆われる。つまり、振動絶縁部材の内部に相対移動の規制の機構が配置されることでファンモータの小型化を実現することができる。
【００１０】
本発明の一の形態によれば、前記第１のリブは、弾性的に前記ロータ支持機構に設けられている。これにより、第１のリブがある程度動くようになるので、このファンモータ装置の製造工程において、作業者は、第１のリブと第２のリブとを振動絶縁部材により接続しやすくなる。あるいは、前記第２のリブは、弾性的に前記支持部材に設けられていてもよい。
【００１１】
本発明の一の形態によれば、前記ステータは、第１の係合部を有し、前記ロータ支持機構に設けられた第１のリブと、前記第１の係合部に係合する第２の係合部を有し、前記支持部材に設けられた第２のリブとを含む。本発明では、第１のリブ及び第２のリブ同士が係合することにより、より確実に相対移動が規制される。
【００１２】
本発明の一の形態によれば、前記振動絶縁部材は、前記第１の係合部と前記第２の係合部とを覆うように、前記第１のリブと前記第２のリブとを連結するチューブ形状の部材である。チューブ状の振動絶縁部材により第１の係合部及び第２の係合部が覆われるので、上述のようにファンモータの小型化を実現することができる。本発明においても、上記発明のように第１のリブが、弾性的にロータ支持機構に設けられていてもよいし、または、第２のリブが弾性的に前記支持部材に設けられていてもよい。
【００１３】
本発明の一の形態によれば、前記第１のリブは端部を有し、前記第２のリブは、前記振動絶縁部材を介して前記第１のリブの端部に接続される端部を有し、前記振動絶縁部材は、前記第１のリブの端部と前記第２のリブの端部との隙間をシールするように設けられた部材である。本発明では、第１の係合部と第２の係合部とが係合し合い、かつ、シールするように設けられた振動絶縁部材が設けられることにより、振動が吸収され、ロータ支持機構及び支持部材の相対的な移動を規制することができる。
【００１４】
本発明に係る電子機器は、発熱体と、羽根を有するロータと、前記ロータを回転可能に支持するロータ支持機構と、前記ロータ支持機構を支持する支持部材と、前記ロータ支持機構及び前記支持部材の間に設けられた振動絶縁部材と、前記ロータ支持機構と前記支持部材との相対的な移動を規制可能なステータとを有するファンモータと、発熱体と前記ファンモータとを内部に収容する筐体とを具備する。
【発明の効果】
【００１５】
以上のように、本発明によれば、ロータの回転による振動の発生を抑制し、かつ、ファンモータ装置に衝撃力等が加えられた場合に、ファンモータ装置を構成する部材が、他の部材やデバイスに衝突することを防止できる。
【発明を実施するための最良の形態】
【００１６】
以下、本発明の実施の形態を図面を参照しながら説明する。
【００１７】
図１は、本発明の一実施の形態に係るファンモータ装置を示す斜視図である。図２は、図１に示すファンモータ装置の断面図である。
【００１８】
ファンモータ装置１０は、ロータ２５と、ステータ１５と、振動絶縁部材３５とを備える。
【００１９】
ロータ２５は、中央に設けられた円筒状のボス部２２と、このボス部２２の周囲に設けられた複数の羽根２１と、ボス部２２の内部に設けられた回転軸となる回転シャフト５と、ボス部２２の内周面に取り付けられたヨーク８及びマグネット７とを有する。ヨーク８の材料として、例えば、鉄（ＳＰＣＣ、ＳＰＥＣ等のプレス材、テンレス鋼等）、ニッケル、ケイ素鋼、軟鉄、パーマロイ、またはその他の材料が用いられる。マグネット７の材料として、ネオジウム・鉄・ボロン、フェライト系、コバルト系、サマリウム、またはその他の材料が用いられる。
【００２０】
ステータ１５は、ロータ２５を回転可能に支持するロータ支持機構１１と、ロータ支持機構１１を支持する支持部材としてのハウジング１２とを有する。ロータ支持機構１１は、回転シャフト５を回転可能に支持する軸受部４、軸受部４を保持する軸受ホルダ９、軸受ホルダ９の周囲に配置されたコイル６を有する。ロータ支持機構１１は、外周に向けて延びる複数のリブ（第１のリブ）１４を有する。軸受部４は、例えばラジアル軸受３及びスラスト軸受２で構成される。スラスト軸受２は、例えばピヴォット軸受、あるいはスラスト動圧軸受等が用いられる。ロータ支持機構１１のリブ１４、ハウジング１２の材料は、典型的には樹脂であるが、アルミニウム、ステンレス、あるいはその他材料であってもよい。
【００２１】
ステータ１５は、ロータ支持機構１１とハウジング１２との相対的な移動を規制することが可能に構成されている。これについては、後に詳述する。
【００２２】
ロータ支持機構１１のリブ１４は、例えば４本設けられているが、３本でもよいし、５本以上であってもよい。ハウジング１２は、内側に向けて延びるリブ（第２のリブ）１３を有し、これらのリブ１３はロータ支持機構１１のリブ１４に対応する数だけ設けられている。リブ１３とリブ１４が振動絶縁部材３５によって接続されることで、ハウジング１２に対してロータ支持機構１１が位置決めされる。また、ハウジング１２は、例えば４つの側壁１２ａを有する直方体形状でなる。
【００２３】
図１に示すように、ハウジング１２を構成する各側壁１２ａと、リブ１３及び１４により４つの開口１２ｂが形成され、この開口１２ｂが吸気口となる。図２に示すように、ハウジング１２の、ロータ支持機構１１が配置される側とは反対側にも開口１２ｃが設けられ、この開口１２ｃが排気口となる。排気口１２ｃは、矩形状の領域のほぼ全面が排気口１２ｃとなるが、形状や大きさは適宜設定可能である。開口１２ｂが排気口となり、開口１２ｃが吸気口とされる場合もある。
【００２４】
このファンモータ装置１０では、コイル６が通電されることによりロータ２５が回転し、羽根２１の所定の形状によりハウジング１２内に空気の圧力差が発生し、吸気口１２ｂから吸入した空気が排気口１２ｃから排出される。
【００２５】
以下、回転シャフト５の軸方向（Ｚ方向）をスラスト方向、回転シャフト５に垂直な平面（Ｘ−Ｙ面）内であって回転シャフト５から外周に向けて放射する方向をラジアル方向という。
【００２６】
図３は、振動絶縁部材３５付近を示す拡大断面図である。振動絶縁部材３５は、例えばチューブ形状の部材であり、典型的にはゴムでなるが、弾性力、あるいは可撓性を有し、つまり機械的振動の減衰効果を有する材料であれば何でもよい。このような振動絶縁部材３５でリブ１３及び１４同士が接続されていることにより、ロータ２５の回転時にロータ支持機構１１に発生する振動がハウジング１２に伝わることを抑制することができる。この振動絶縁部材３５は、チューブ状（外観上は棒状）に形成されるので、振動特性を比較的簡単に調整することができる。また、チューブ状に形成されることにより、振動絶縁部材３５のＺ方向の厚さを厚くすることができ、ファンモータ装置１０自体のＺ方向の厚さが厚くなることを防ぐこともできる。
【００２７】
ロータ支持機構１１のリブ１４の端部は、テーパ面（第１のテーパ面）１４ａを有し、ハウジング１２のリブ１３の端部は、そのテーパ面に対面するように設けられたテーパ面（第２のテーパ面）１３ａを有する。テーパ面１４ａ及び１３ａ間の距離は、適宜設定可能である。テーパ面１４ａ及び１３ａ同士が対面することで、例えばロータ支持機構１１またはハウジング１２に外部から衝撃力が加えられた場合に、そのテーパ面１４ａ及び１３ａ同士が接触してロータ支持機構１１とハウジング１２との相対的な移動が規制される。
【００２８】
例えば、単にスラスト方向にそれらのリブ１３及び１４が切断され、それらの端面同士が対面するような場合、ラジアル方向におけるロータ支持機構１１とハウジング１２との相対移動は規制可能である。しかし、その場合、スラスト方向には当該相対移動の規制は困難となる。つまり、本実施の形態では、スラスト方向及びラジアル方向における、ロータ支持機構１１とハウジング１２との相対的な移動を規制し、すなわち、当該相対移動を極力小さくすることができる。
【００２９】
以上のように、本実施の形態によれば、振動絶縁部材３５によりロータ支持機構１１からハウジング１２に振動が伝わることを防止することができる。また、ファンモータ装置１０に衝撃が加えられたとしても、ロータ支持機構１１またはハウジング１２が、他の部材やデバイスに衝突するといった事態も防止することができる。例えばファンモータ装置１０が電子機器に搭載される場合、かかる衝突を回避するため、従来ではファンモータ装置１０と、その周辺の部材との間にスペースが設けられるケースが多かった。しかしながら、本実施の形態によれば、上記相対移動が規制されることで、そのようなスペースが不要となり、電子機器の小型化を実現することができる。
【００３０】
しかも、本実施の形態では、チューブ状の振動絶縁部材３５によりリブ１３及び１４のそれぞれの端部が振動絶縁部材３５に覆われる。つまり、振動絶縁部材３５の内部に相対移動の規制のための機構が配置されることで、別途の相対移動規制の機構を設けなくてもファンモータ装置１０の小型化を実現することができる。
【００３１】
本実施の形態に係るファンモータ装置１０において、特に、スラスト軸受２にピヴォット軸受が用いられる場合、コストパフォーマンスに優れ、有用である。しかし、スラスト軸受２にピヴォット軸受が設けられる場合、本実施の形態のようなタイプの軸受部４では、回転シャフト５のスラスト方向への移動が規制されないので、コイル６とマグネット７のスラスト方向における中心を一致しないようにオフセットさせないようにしている。つまり、それらの中心同士がずれることで、磁気吸引力をアンバランスにして、回転シャフト５がピヴォット軸受に押さえつけられるように吸引力を発生させている。この場合、コイル６の上部と下部との磁束密度の不平衡が発生し、結果軸方向の力が発生し、振動の原因となってしまうという欠点がある。しかしながら、本実施の形態では、振動絶縁部材３５が設けられているので、安価な軸受を用いても、振動特性に優れたファンモータ装置１０を実現することができる。すなわち、ラジアル軸受３とピヴォット軸受２とで構成される軸受部４と、振動絶縁部材３５との組み合わせにより、振動問題が解消され、且つ安価であるという利点を得ることができる。
【００３２】
例えば、従来では、なるべく上記吸引力を低くして振動を抑えるようにして安定化させるために、コイルとマグネットとの中心同士のシフト量を、±１００μｍ程度に抑える必要があった。しかし、本実施の形態では、振動絶縁部材３５が設けられることによって、吸引力は格段に大きくなってもよいので、上記シフト量は、倍の±２００μｍになっても問題ない。
【００３３】
図４は、本発明の他の実施の形態に係るファンモータ装置を示す斜視図である。これ以降の説明では、図１等に示した実施の形態に係るファンモータ装置１０の部材や機能等について同様のものは説明を簡略または省略し、異なる点を中心に説明する。
【００３４】
ファンモータ装置２０のハウジング３２の各側壁３２ａからリブ３３がそれぞれ延設され、各リブ３３は、意図的に弾性力を持つように設けられている。典型的には、２つのスリット３２ｄが各側壁３２ａにそれぞれ形成されており、２つのスリット３２ｄの間からリブ３３が延設されている。このような構成により、ファンモータ装置１０の製造時に、作業者は、ロータ支持機構１１の各リブ１４とハウジング３２の各リブ３３とを振動絶縁部材３５により接続する場合に、その作業が容易になる。
【００３５】
なお、図１に示すファンモータ装置１０の製造については、作業者は、例えばリブ１３またはリブ１４のうちいずれか一方に振動絶縁部材３５を深く嵌め込んだ上で、ロータ支持機構１１及びハウジング１２とを位置決めし、その後、振動絶縁部材３５をスライドさせて、両者のリブ１３及び１４同士を接続することができる。
【００３６】
図５（Ａ）及び図５（Ｂ）は、本発明のさらに別の実施の形態に係るファンモータ装置の一部を示す断面図であり、具体的には別の実施の形態に係る振動絶縁部材付近の拡大断面図である。
【００３７】
図５（Ａ）に示すように、本実施形態では、ロータ支持機構４１のリブ４４の端部と、ハウジング４２のリブ４３の端部とが互いに係合する係合片４４ａ及び４３ａ（第１の係合部及び第２の係合部）を有している。リブ４４及び４３の端部は、上記実施形態と同様に、チューブ形状の振動絶縁部材３５で覆われ、両リブ４４及び４３同士が接続されている。図５（Ｂ）に示すように、２つの係合片４４ａ及び４３ａは、典型的には実質的に同様の形状であり、例えばＵ字状に形成されている。２つの係合片４４ａ及び４３ａは、互いにリブ４４及び４３の長手方向を回転軸とする回転の方向に９０°ずれて配置されることで係合可能となる。本実施の形態でも、リブ４４及びリブ４３はそれぞれ複数設けられており、これらのうち少なくとも１組のリブ４４及び４３に当該係合片４４ａ及び４３ａが設けられていればよい。
【００３８】
リブ４３（またはリブ４４）の外径（端部以外の外径）ｄ３と、振動絶縁部材３５の外径ｄ４は実質的に同じに設定されている。これにより、リブ４３から振動絶縁部材３５を介してリブ４４にかけて同じ径とすることができる。つまり、振動絶縁部材３５による出っ張りをなくすことができ、ファンモータ装置の薄型化または小型化を実現することができる。
【００３９】
図５に示すような係合片４４ａ及び４３ａによりリブ４４及び４３同士が係合することで、より確実にロータ支持機構４１とハウジング４２との移動を規制することができる。
【００４０】
図６は、本発明のさらに別の実施の形態に係るファンモータ装置を示す概略平面図である。図７は、図６に示すファンモータ装置３０の振動絶縁部材付近の拡大断面図である。
【００４１】
ファンモータ装置３０は、ロータ２５を支持するロータ支持機構５１と、このロータ支持機構５１を支持するハウジング５２とを備える。ロータ支持機構５１とハウジング５２とは、それらのリブ５４及び５３が角度θで振動絶縁部材３６により接続されて互いに位置決めされている。角度θは、図６では例えば９０°程度となっているが、９０°に限られない。図７に示すように、振動絶縁部材３６は、ベース部３６ａと例えば２つの突起部３６ｂとを有する。突起部３６ｂの数は、２つに限られず、３つ以上であってもよい。
【００４２】
ロータ支持機構５１のリブ５４の端部には上面より一段低くなったステップ部５４ａを有し、また、そのステップ部５４ａに上記突起部３６ｂが嵌合する穴５４ｂが設けられている。この穴５４ｂは貫通した穴であるが、突起部３６ｂの長さによっては貫通していない形態も考えられる。ハウジング５２のリブ５３の端部も、リブ５４と同様の構成でなっており、ステップ部５３ａに形成された穴５３ｂに突起部３６ｂが嵌合している。本実施の形態によっても、ロータ支持機構５１からハウジング５２への振動伝達を防止し、かつ、両者の相対移動を確実に規制することができる。
【００４３】
図８は、本発明のさらに別の実施の形態に係る振動絶縁部材付近の拡大断面図である。ロータ支持機構６１のリブ６４の端部には、ステップ部６４ａが形成されている。ハウジング６２のリブ６３の端部にも、上記リブ６４のステップ部６４ａと対面するステップ部６３ａが形成されている。リブ６４及び６３の端部同士の隙間には、振動絶縁部材３７がその隙間をシールするように設けられている。振動絶縁部材３７は、接着剤やネジ等でリブ６４及び６３の端部に固定されればよい。
【００４４】
図９は、本発明のさらに別の実施の形態に係る振動絶縁部材付近の拡大断面図である。ロータ支持機構のリブ６４の端部には突起７４ａが設けられ、ハウジング７２のリブの端部には、その突起７４ａ（第１の係合部）が係合する穴７２ａ（第２の係合部）が設けられている。リブ７２の厚さｄ１は、突起７４ａの長さｄ２より小さく設定されており、突起７４ａとリブ７３との間には、２つのリング状の振動絶縁部材３８及びワッシャー２９が嵌め込まれている。ワッシャー２９は、ファンモータ装置の製造時におけるリブ７４及び７３同士の接続工程において、例えば突起７４ａの頭部７４ｂへ熱カシメ等の処理が行われるために設けられる。
【００４５】
図２０は、本発明のさらに別の実施の形態に係る振動絶縁部材付近の拡大断面図である。
【００４６】
ロータ支持機構１４１のリブ１４４の端部は細くなっており、すなわち、ステップ部１４４ａが設けられ、さらにテーパ面１４４ｂが形成されている。ハウジング１４２のリブ１４３の端部もそれと同様に、ステップ部１４３ａと、上記テーパ面１４４ｂに対面するテーパ面１４３ｂとを有する。これにより、例えば図３で示したリブ１４及び１３と同様の効果を得ることができる。
【００４７】
また、リブ１４４（またはリブ１４３）の外径（端部以外の外径）ｄ５と、振動絶縁部材１３５の外径ｄ６は実質的に同じに設定されている。これにより、図５で示したリブ４４及び４２と同様の効果を得ることができる。
【００４８】
図１０は、本発明のさらに別の実施の形態に係るファンモータ装置の概略平面図である。図１１は、図１０に示すファンモータ装置４０の振動絶縁部材付近の拡大斜視図である。図１２は、その振動絶縁部材付近の拡大断面図である。
【００４９】
本実施の形態に係るファンモータ装置４０では、ロータ支持機構８１のリブ８４の端部には突起８４ａが設けられ、ハウジング８２の一部、例えば角部には上記突起８４ａ（第１の係合部）が係合する台座８２ｅ（第２の係合部）が設けられている。すなわち、ハウジング８２にはリブ８４が設けられていない。台座８２ｅには突起８４ａが嵌る穴８２ｆが形成されている。また、リブ８４と台座８２ｅとの間には振動絶縁部材３８及びワッシャー２９が設けられ、例えば図９に示す形態と同様に熱カシメにより接続されている。
【００５０】
図１３は、本発明のさらに別の実施の形態に係るファンモータ装置を示す断面図である。
【００５１】
本実施の形態に係るファンモータ装置５０のステータ９５は、ロータ支持機構９１とハウジング９２とを備え、ロータ支持機構９１は、軸受部４を保持する軸受ホルダ１９を備えている。また、軸受ホルダ１９とハウジング９２との間には振動絶縁部材３９が配置されている。振動絶縁部材３９は、例えばリング状状でなるがこれに限られない。振動絶縁部材３９には、例えばリング状の溝３９ａが設けられ、この溝３９ａに軸受ホルダ１９の外周縁部が嵌め込まれている。ロータ２５の構成は、図２に示したファンモータ装置１０のロータ２５の構成と実質的に同様である。
【００５２】
このように、軸受ホルダ１９とハウジング９２との間に振動絶縁部材３９が配置されているので、上記各実施の形態に係るファンモータ装置と同様の作用効果を得ることができる。
【００５３】
ここで、上記各実施の形態に係るファンモータ装置１０、２０、３０、４０、５０（図５、図８、図９に係る形態も含む。）のモータ部は、典型的には３相モータで構成される。しかし、もちろん単相でもよいし、５相以上でもよい。コイル６の極歯数やマグネット７の極数には、特に制限はないが、例えば、「極歯数９、極数８」、あるいは、「極歯数９、極数１２」等の組み合わせが考えられる。ここで、「極歯数９、極数８」の場合について、振動の原因となる、コギング数やスイッチング周波数を考えれば、代表的なコギングでは、８ｎ、９ｎ、２４ｎ、７２ｎ（ｎは自然数）等が考えられる。すなわち、３相モータは通常、単相モータ等に比べて、起動特性に優れていたり、滑らかな回転を得ることができるが、高い周波数の振動源を持っている。したがって、３相モータは、様々な固有振動数を持つ部材が周囲にある状態では、共振問題を引き起こす可能性が高い。しかしながら、上記の各実施の形態では、振動絶縁部材３５〜３９が設けられているので、３相モータで確実な起動特性や滑らかな回転を得ることができる。また、確実に共振問題を排除することができることから、どのような環境でも、非常に低騒音なモータを得ることができる。
【００５４】
さらに従来、本発明者らは、３相モータにおけるマグネット７のサイン着磁やスキュー着磁等、着磁を工夫し、コギングを低減したり、通電波形をサイン波に近づけ、スイッチングによる振動を低減しようとしていた。しかし、上記各実施の形態に係るファンモータ装置１０、２０、３０、４０、５０では、着磁等はなんら配慮する必要がなくなり、通電波形は、台形波程度で振動の問題を解決できるようになった。
【００５５】
図１４は、振動絶縁部材が用いられたファンモータ装置、振動絶縁部材が用いられないファンモータ装置の騒音レベルを示すグラフである。横軸は、ロータの回転スピードである。モータ部は、両ファンモータ装置とも、３相モータ（極歯数９、極数８）が用いられた。この図１４に示す実験では、本発明者らは、上記図１、図２に示すファンモータ装置１０と実質的に同様の装置であって、かつ、ロータ支持機構１１とハウジング１２との相対移動の移動規制手段が設けられていない装置で騒音レベルを実測した。
【００５６】
図１４に示すグラフから、振動絶縁部材が設けられているファンモータ装置の方が、ロータのほぼ全スピード領域において騒音レベルが低いことが分かる。
【００５７】
図１５は、図１６に示す写真のファンモータ装置（本発明のさらに別の実施形態に係るファンモータ装置）の騒音レベルを示すグラフである。
【００５８】
図１６に示す写真のファンモータ装置６０では、ロータ支持機構１１のリブ１４の端部に金属板３１が固定されている。ロータ支持機構１１は、フレーム１０２により支持されている。フレーム１０２にはリング状の部材１０２ａと、このリング状部材１０２ａに立設された柱部材１０２ｂとが設けられている。金属板３１は、ネジ３４、ワッシャー、振動絶縁部材４５等を介して柱部材１０２ｂに取り付けられている。なお、フレーム１０２には、図示しないハウジングが装着される場合が多い。
【００５９】
図１５に示すグラフから、振動絶縁部材４５が設けられたファンモータ装置６０（図１６参照）の方が、ロータ２５のほぼ全スピード領域において騒音レベルが低いことが分かる。
【００６０】
図１７は、例えば図２に示したファンモータ装置１０にヒートシンク４６等が取り付けられた状態を示す図である。典型的には、ファンモータ装置１０のハウジング１２の排気口１２ｃにヒートシンク４６が取り付けられる。ヒートシンク４６の排気側には、基板４８に搭載されたＣＰＵ等のＩＣ４７が取り付けられている。つまり、ファンモータ装置１０は、ヒートシンク４６やＩＣ等の発熱体に向けて風を送り冷却する。
【００６１】
なお、図１７では、ファンモータ装置として図２に示したファンモータ装置１０を例に挙げたが、その他の実施形態に係るファンモータ装置２０、３０、４０、５０、６０（図５、図８、図９に係る形態も含む。）であってもよい。
【００６２】
図１８は、本発明のさらに別の実施の形態に係るファンモータ装置及びヒートシンクを示す断面図である。ファンモータ装置７０は、実質的に図２に示したファンモータ装置１０と同様の構成であり、ロータ支持機構１１のリブ１４と、ハウジング１１２のリブ１１３とが、振動絶縁部材３５により接続されている。
【００６３】
ファンモータ装置１０は軸流ファンであったが、ファンモータ装置７０は遠心ファンである。つまり、ハウジング１１２は、その側面に排気口１１２ｃを有する。ヒートシンク５６は、その排気口１１２ｃから排気される空気により冷却される。
【００６４】
図１９は、ファンモータ装置７０を搭載する電子機器として、例えばラップトップ型のＰＣ（Personal Computer）を示す斜視図である。ＰＣ２００は、筐体２１０を備え、筐体２１０内に、ファンモータ装置７０及びヒートシンク５６が収容されている。この場合、ヒートシンク５６には、ヒートパイプ等を介してＣＰＵ等が熱的に接続されていればよい。
【００６５】
本発明に係る実施の形態は、以上説明した実施の形態に限定されず、他の種々の実施形態が考えられる。
【００６６】
上記各実施の形態では、ハウジングの形状は直方体形状であった。しかし、もちろん円筒状であってもよいし、その他の形状であってもよい。ファンモータ装置を構成する、ハウジング以外の部材等の形状、大きさ、配置等も適宜変更可能である。振動絶縁部材のラジアル方向の配置に関しても、上記各実施形態で示した位置より内周側でもよいし外周側でもよい。
【００６７】
上記各実施の形態に係るファンモータ装置１０、２０、３０、４０、５０、６０（図５、図８、図９に係る形態も含む。）の特徴部分のうち少なくとも１つを組み合わせてさらに別のファンモータ装置を構成することも可能である。
【００６８】
図１９では、電子機器としてラップトップ型のＰＣ２００を例に挙げたが、もちろんデスクトップ型のＰＣであってもよい。デスクトップ型ＰＣの場合、図１等のファンモータ装置１０等の軸流ファンが搭載されることが多い。電子機器の他の例としては、例えばカメラ、ディスプレイ装置、オーディオ／ビジュアル機器、プロジェクタ、ゲーム機器、カーナビゲーション機器、ロボット機器、その他の電化製品等が挙げられる。
【００６９】
上記発熱体としては、ヒートシンクやＩＣに限られず、ヒートパイプの放熱部、プロジェクタ用のランプ（または、そのランプの周辺の部材）、その他の電子部品等、発熱するものなら何でもよい。
【図面の簡単な説明】
【００７０】
【図１】本発明の一実施の形態に係るファンモータ装置を示す斜視図である。
【図２】図１に示すファンモータ装置の断面図である。
【図３】振動絶縁部材付近を示す拡大断面図である。
【図４】本発明の他の実施の形態に係るファンモータ装置を示す斜視図である。
【図５】本発明のさらに別の実施の形態に係るファンモータ装置の一部を示す断面図であり、具体的には振動絶縁部材付近の拡大断面図である。
【図６】本発明のさらに別の実施の形態に係るファンモータ装置を示す概略平面図である。
【図７】図６に示すファンモータ装置の振動絶縁部材付近の拡大断面図である。
【図８】本発明のさらに別の実施の形態に係る振動絶縁部材付近の拡大断面図である。
【図９】本発明のさらに別の実施の形態に係る振動絶縁部材付近の拡大断面図である。
【図１０】本発明のさらに別の実施の形態に係るファンモータ装置の概略平面図である。
【図１１】図１０に示すファンモータ装置の振動絶縁部材付近の拡大斜視図である。
【図１２】その振動絶縁部材付近の拡大断面図である。
【図１３】本発明のさらに別の実施の形態に係るファンモータ装置の断面図である。
【図１４】振動絶縁部材が用いられたファンモータ装置、振動絶縁部材が用いられないファンモータ装置の騒音レベルを示すグラフである。
【図１５】図１６に示す写真のファンモータ装置の騒音レベルを示すグラフである。
【図１６】本発明のさらに別の実施の形態に係るファンモータ装置を示す写真である。
【図１７】図２に示したファンモータ装置にヒートシンク等が取り付けられた状態を示す図である。
【図１８】本発明のさらに別の実施の形態に係るファンモータ装置及びヒートシンクを示す断面図である。
【図１９】ファンモータ装置を搭載する電子機器として、ラップトップ型のＰＣを示す斜視図である。
【図２０】本発明のさらに別の実施の形態に係る振動絶縁部材付近の拡大断面図である。
【符号の説明】
【００７１】
１０、２０、３０、４０、５０、６０…ファンモータ装置
１１、４１、５１、６１、７１、８１、９１、１１１…ロータ支持機構
１２、３２、４２、５２、６２、７２、８２、９２、１０２、１１２…ハウジング
１３、３３、４３、５３、６３、７３、８３、９３、１１３…リブ（第２のリブ）
１３ａ、１４ａ…テーパ面
１４、４４、５４、６４、７４、８４、９４…リブ（第１のリブ）
１５、９５…ステータ
２１…羽根
２２…ボス部
２５…ロータ
３５、３６、３７、３８、３９、４５
４３ａ、４４ａ…係合片
４４…両リブ
４６、５６…ヒートシンク
４７…ＩＣ
７２ａ…穴
７４ａ…突起
８２ｅ…台座
８２ｆ…穴
８４ａ…突起
１０２…フレーム
２００…ＰＣ
２１０…筐体
【図１】
2008182847.tif 000003
【図２】
2008182847.tif 000004
【図３】
2008182847.tif 000005
【図４】
2008182847.tif 000006
【図５】
2008182847.tif 000007
【図６】
2008182847.tif 000008
【図７】
2008182847.tif 000009
【図８】
2008182847.tif 000010
【図９】
2008182847.tif 000011
【図１０】
2008182847.tif 000012
【図１１】
2008182847.tif 000013
【図１２】
2008182847.tif 000014
【図１３】
2008182847.tif 000015
【図１４】
2008182847.tif 000016
【図１５】
2008182847.tif 000017
【図１７】
2008182847.tif 000018
【図１８】
2008182847.tif 000019
【図１９】
2008182847.tif 000020
【図２０】
2008182847.tif 000021
【図１６】
2008182847.tif 000022